(57)【特許請求の範囲】
【請求項１】
燃焼庫内に複数のバーナを備えるガス燃焼機器であって、
マイコンと、
複数のバーナに対応して配置されており、対応するバーナが燃焼していない場合に失火検知信号を出力する複数の燃焼検知回路と、
複数のバーナへのガスの供給がされており、かつ失火検知信号が入力されると、複数のバーナへのガスの供給を停止するガス供給停止信号を出力する安全回路と、
複数の燃焼検知回路と安全回路の間に接続されており、複数の燃焼検知回路に対応してマイコンから出力される複数の失火検知キャンセル信号が入力されるキャンセル制御回路を備えており、
キャンセル制御回路は、マイコンから出力される失火検知キャンセル信号に応じて、対応する燃焼検知回路の失火検知信号をキャンセルするように構成されており、
キャンセル制御回路は、複数の燃焼検知回路のうちの少なくとも一部に関して、同時に失火検知信号をキャンセルしないように構成されている、ガス燃焼機器。
【請求項２】
燃焼庫が、調理用のグリル庫である、請求項１のガス燃焼機器。
【発明の詳細な説明】
【技術分野】
【０００１】
本明細書で開示する技術は、ガス燃焼機器に関する。
【背景技術】
【０００２】
特許文献１には、グリル庫内に複数のバーナを備えるガス燃焼機器が開示されている。このガス燃焼機器では、グリル庫内の上部に上火バーナが設けられており、グリル庫内の下部に下火バーナが設けられている。このガス燃焼機器では、上火バーナと下火バーナの両方を燃焼させる両面焼きモードと、上火バーナを燃焼させて下火バーナを消火させる上火焼きモードと、上火バーナを消火させて下火バーナを燃焼させる下火焼きモードで動作することができる。
【先行技術文献】
【特許文献】
【０００３】
【特許文献１】特開平１１−１２５４２７号公報
【発明の概要】
【発明が解決しようとする課題】
【０００４】
多くのガス燃焼機器では、バーナにガスを供給している状態で、バーナが着火しない場合や、バーナが不意に消火してしまった場合（本明細書では、何れの場合も、バーナの失火と表現する）に、バーナからの生ガスの放出を防ぐための安全機構が備えられている。このような安全機構としては、バーナが燃焼していない場合に失火検知信号を出力する燃焼検知回路と、バーナへのガスの供給がされており、かつ失火検知信号が入力されると、バーナへのガスの供給を停止するガス供給停止信号を出力する安全回路によって実現される。このような燃焼検知回路や安全回路は、通常、ガス燃焼機器を制御するマイコンが仮に暴走した場合でも、安全性を確保することができるように、マイコンとは別個の回路として設けられている。
【０００５】
特許文献１のガス燃焼機器の上火焼きモードや下火焼きモードのように、燃焼庫内の複数のバーナのうちの一部を意図的に消火させておく場合には、安全回路が誤って動作してしまわないように、意図的に消火させているバーナについては、燃焼検知回路からの失火検知信号をキャンセルする必要がある。このため、このようなガス燃焼機器においては、燃焼検知回路と安全回路の間に接続されており、マイコンから失火検知キャンセル信号が出力された場合に、燃焼検知回路の失火検知信号をキャンセルするキャンセル制御回路を備えることが好ましい。これによって、意図的に消火させているバーナについては、マイコンから失火検知キャンセル信号を出力することで、そのバーナに対応する燃焼検知回路の失火検知信号をキャンセルすることができる。安全回路が誤って動作してしまうことを防ぐことができ、ユーザの利便性を向上することができる。
【０００６】
しかしながら、上記のようなキャンセル制御回路を設ける場合、マイコンの暴走によって、全ての燃焼検知回路について失火検知キャンセル信号が出力される可能性がある。このような場合に、全ての燃焼検知回路の失火検知信号をキャンセルしてしまうと、燃焼させているバーナが失火した場合に、燃焼庫内に生ガスが放出されてしまい、安全性を損なうおそれがある。ユーザの利便性を向上しつつ、安全性を確保することが可能な技術が期待されている。
【０００７】
本明細書では、上記の課題を解決する技術を提供する。本明細書では、燃焼庫内に複数のバーナを備えるガス機器において、ユーザの利便性を向上しつつ、安全性を確保することが可能な技術を提供する。
【課題を解決するための手段】
【０００８】
本明細書は、燃焼庫内に複数のバーナを備えるガス燃焼機器を開示する。そのガス燃焼機器は、マイコンと、複数のバーナに対応して配置されており、対応するバーナが燃焼していない場合に失火検知信号を出力する複数の燃焼検知回路と、複数のバーナへのガスの供給がされており、かつ失火検知信号が入力されると、複数のバーナへのガスの供給を停止するガス供給停止信号を出力する安全回路と、複数の燃焼検知回路と安全回路の間に接続されており、複数の燃焼検知回路に対応してマイコンから出力される複数の失火検知キャンセル信号が入力されるキャンセル制御回路を備えている。キャンセル制御回路は、マイコンから出力される失火検知キャンセル信号に応じて、対応する燃焼検知回路の失火検知信号をキャンセルするように構成されている。キャンセル制御回路は、複数の燃焼検知回路のうちの少なくとも一部に関して、同時に失火検知信号をキャンセルしないように構成されている。
【０００９】
上記のガス燃焼機器では、マイコンから失火検知キャンセル信号が出力されると、キャンセル制御回路が対応する燃焼検知回路の失火検知信号をキャンセルする。このような構成とすることによって、燃焼庫内の一部のバーナを燃焼させ、残余のバーナを意図的に消火させる場合には、意図的に消火させているバーナに対応する燃焼検知回路の失火検知信号をキャンセルすることで、安全回路が誤って動作してしまうことを防ぐことができる。ユーザの利便性を向上することができる。
【００１０】
また、上記のガス燃焼機器では、キャンセル制御回路は、複数の燃焼検知回路のうちの少なくとも一部に関して、同時に失火検知信号をキャンセルしないように構成されている。このような構成とすることによって、マイコンの暴走によって、全ての燃焼検知回路について失火検知キャンセル信号が出力された場合であっても、全ての燃焼検知回路の失火検知信号がキャンセルされてしまう事態を防ぐことができる。安全性を確保することができる。
【００１１】
上記のガス燃焼機器は、燃焼庫が、調理用のグリル庫であるように構成することができる。
【００１２】
調理用のグリル庫においては、特許文献１の上火焼きモードや下火焼きモードのように、燃焼庫内の一部のバーナを燃焼させ、残余のバーナを意図的に消火させることを可能にすることで、ユーザの利便性を向上することができる。上記のガス燃焼機器によれば、調理用のグリル庫内に複数のバーナを備えるガス燃焼機器において、ユーザの利便性を向上しつつ、安全性を確保することができる。
【図面の簡単な説明】
【００１３】
【図１】実施例のガス燃焼機器２の構成を模式的に示す図である。
【図２】実施例のガス燃焼機器２の回路構成の一部を示す図である。
【図３】実施例のガス燃焼機器２の回路構成の一部を示す図である。
【発明を実施するための形態】
【００１４】
（実施例）
図１に本実施例のガス燃焼機器２の概略の構成を示す。本実施例のガス燃焼機器２は、上部に配置された第１コンロ４、第２コンロ６および第３コンロ８と、内部に配置されたグリル庫１０を備える、調理用のガスコンロである。
【００１５】
第１コンロ４には、第１コンロバーナ１２と、第１コンロバーナ１２に点火する第１コンロ点火装置１４と、第１コンロバーナ１２の炎の有無を検出する第１コンロ炎検出器１６が設けられている。第２コンロ６には、第２コンロバーナ１８と、第２コンロバーナ１８に点火する第２コンロ点火装置２０と、第２コンロバーナ１８の炎の有無を検出する第２コンロ炎検出器２２が設けられている。第３コンロ８には、第３コンロバーナ２４と、第３コンロバーナ２４に点火する第３コンロ点火装置２６と、第３コンロバーナ２４の炎の有無を検出する第３コンロ炎検出器２８が設けられている。
【００１６】
グリル庫１０には、グリル庫１０の内部において上部から下方に向けて炎を燃焼させる上部バーナ３０と、上部バーナ３０に点火する上部点火装置３２と、上部バーナ３０の炎の有無を検出する上部炎検出器３４と、グリル庫１０の内部において下部から上方に向けて炎を燃焼させる第１下部バーナ３６および第２下部バーナ３８と、第１下部バーナ３６に点火する第１下部点火装置４０と、第２下部バーナ３８に点火する第２下部点火装置４２と、第１下部バーナ３６の炎の有無を検出する第１下部炎検出器４４と、第２下部バーナ３８の炎の有無を検出する第２下部炎検出器４６が設けられている。
【００１７】
ガス燃焼機器２には、ガス供給路４８を介して、ガスが供給される。ガス供給路４８には、メイン電磁弁５０が介装されている。ガス供給路４８は、第１コンロガス供給路５２と、第２コンロガス供給路５４と、第３コンロガス供給路５６と、グリル庫ガス供給路５８に分岐している。
【００１８】
第１コンロガス供給路５２は、第１コンロバーナ１２にガスを供給する。第１コンロガス供給路５２には、第１コンロ電磁弁６０が介装されている。第２コンロガス供給路５４は、第２コンロバーナ１８にガスを供給する。第２コンロガス供給路５４には、第２コンロ電磁弁６２が介装されている。第３コンロガス供給路５６は、第３コンロバーナ２４にガスを供給する。第３コンロガス供給路５６には、第３コンロ電磁弁６４が介装されている。
【００１９】
グリル庫ガス供給路５８には、グリル庫電磁弁６６が介装されている。グリル庫ガス供給路５８は、上部ガス供給路６８と、下部ガス供給路７０に分岐している。上部ガス供給路６８には、上部電動弁７２が介装されている。上部ガス供給路６８は、上部バーナ３０にガスを供給する。下部ガス供給路７０には、下部電動弁７４が介装されている。下部ガス供給路７０は、第１下部ガス供給路７６と、第２下部ガス供給路７８に分岐している。第１下部ガス供給路７６は、第１下部バーナ３６にガスを供給する。第２下部ガス供給路７８は、第２下部バーナ３８にガスを供給する。
【００２０】
ガス燃焼機器２には、マイコン１００のほか、後述する各種の電気回路が内蔵されている。ガス燃焼機器２では、マイコン１００および各種の電気回路が協調動作して、各構成要素の動作を制御する。
【００２１】
図２および図３は、ガス燃焼機器２における、グリル庫１０の動作の制御に関連する回路構成を示している。
【００２２】
図２に示すように、マイコン１００は、ウォッチドッグパルス信号ＷＤを出力する。ウォッチドッグパルス信号ＷＤは、Ｈ電位（電源電位Ｖｃｃと同電位であり、例えば１２Ｖである）と、Ｌ電位（接地電位Ｖｏと同電位であり、例えば０Ｖである）が所定の周期で交互に繰り返される矩形パルス信号である。ウォッチドッグパルス信号ＷＤは、パルス検出回路１０２、１０４にそれぞれ入力される。パルス検出回路１０２、１０４は、入力される信号（ウォッチドッグパルス信号ＷＤ）が、所定の矩形パルス信号である場合に、Ｈ電位を出力し、それ以外の信号である場合に、Ｌ電位を出力する。すなわち、パルス検出回路１０２、１０４は、マイコン１００から正常にウォッチドッグパルス信号ＷＤが入力される場合は、Ｈ電位を出力し、マイコン１００から異常なウォッチドッグパルス信号ＷＤが入力される場合は、Ｌ電位を出力する。
【００２３】
マイコン１００は、メイン電磁弁駆動信号ＭＤを出力する。メイン電磁弁駆動信号ＭＤは、メイン電磁弁５０を開く場合にＨ電位が出力され、メイン電磁弁５０を閉じる場合にＬ電位が出力される。メイン電磁弁駆動信号ＭＤは、パルス検出回路１０２の出力信号とともに、ＮＡＮＤ回路１０６に入力される。ＮＡＮＤ回路１０６の出力は、ＮＯＴ回路１０８に入力される。ＮＯＴ回路１０８の出力は、ＮＯＴ回路１１０の正極電源電位として入力される。ＮＯＴ回路１１０には、逆電流防止用のダイオード１１２を介して、後述するハード安全タイマ回路１１４のコンパレータ１１６の出力信号が入力される。後述するように、ハード安全タイマ回路１１４のコンパレータ１１６の出力信号は、ガス燃焼機器２が正常に動作している場合はＬ電位であり、異常が発生している場合はＨ電位である。ＮＯＴ回路１１０の出力は、抵抗器１１８を介して、メイン電磁弁５０のプラス端子に接続されている。メイン電磁弁５０のマイナス端子は、接地電位Ｖｏに接続されている。なお、メイン電磁弁５０には、逆並列ダイオード１２０が接続されている。また、ＮＯＴ回路１１０の出力は、メイン電磁弁応答信号ＭＡとして、マイコン１００に入力される。
【００２４】
メイン電磁弁５０の開閉は、以下のように行われる。マイコン１００からウォッチドッグパルス信号ＷＤが正常に出力されていない場合や、メイン電磁弁駆動信号ＭＤがＬ電位である場合には、ＮＡＮＤ回路１０６はＨ電位を出力し、ＮＯＴ回路１０８はＬ電位を出力する。この場合、ＮＯＴ回路１１０の正極電源電位がＬ電位となるので、ＮＯＴ回路１１０への入力がどのようなものであっても、ＮＯＴ回路１１０はＬ電位を出力し、メイン電磁弁５０には電圧が印加されず、メイン電磁弁５０は閉じられる。マイコン１００からウォッチドッグパルス信号ＷＤが正常に出力され、かつメイン電磁弁駆動信号ＭＤがＨ電位の場合には、ＮＡＮＤ回路１０６はＬ電位を出力し、ＮＯＴ回路１０８はＨ電位を出力する。この場合、ＮＯＴ回路１１０の正極電源電位がＨ電位となるので、ＮＯＴ回路１１０の出力はハード安全タイマ回路１１４のコンパレータ１１６の出力信号に応じて変化する。ガス燃焼機器２が正常に動作している場合は、ハード安全タイマ回路１１４のコンパレータ１１６の出力信号はＬ電位であり、ＮＯＴ回路１１０はＨ電位を出力する。これによって、メイン電磁弁５０に電圧が印加され、メイン電磁弁５０が開かれる。異常が発生している場合は、ハード安全タイマ回路１１４のコンパレータ１１６の出力信号はＨ電位であり、ＮＯＴ回路１１０はＬ電位を出力する。これによって、メイン電磁弁５０には電圧が印加されず、メイン電磁弁５０が閉じられる。
【００２５】
マイコン１００は、グリル庫電磁弁駆動信号ＧＤを出力する。グリル庫電磁弁駆動信号ＧＤは、グリル庫電磁弁６６を開く場合にＨ電位が出力され、グリル庫電磁弁６６を閉じる場合にＬ電位が出力される。グリル庫電磁弁駆動信号ＧＤは、パルス検出回路１０２の出力信号とともに、ＮＡＮＤ回路１２２に入力される。ＮＡＮＤ回路１２２の出力は、ＮＯＴ回路１２４に入力される。ＮＯＴ回路１２４の出力は、ＮＯＴ回路１２６の正極電源電位として入力される。ＮＯＴ回路１２６には、逆電流防止用のダイオード１２８を介して、ハード安全タイマ回路１１４のコンパレータ１１６の出力信号が入力される。ハード安全タイマ回路１１４のコンパレータ１１６の出力信号は、ガス燃焼機器２が正常に動作している場合はＬ電位であり、異常が発生している場合はＨ電位である。ＮＯＴ回路１２６の出力は、抵抗器１３０を介して、グリル庫電磁弁６６のプラス端子に接続されている。グリル庫電磁弁６６のマイナス端子は、接地電位Ｖｏに接続されている。なお、グリル庫電磁弁６６には、逆並列ダイオード１３２が接続されている。また、ＮＯＴ回路１２６の出力は、グリル庫電磁弁応答信号ＧＡとして、マイコン１００に入力される。
【００２６】
グリル庫電磁弁６６の開閉は、以下のように行われる。マイコン１００からウォッチドッグパルス信号ＷＤが正常に出力されていない場合や、グリル庫電磁弁駆動信号ＧＤがＬ電位である場合には、ＮＡＮＤ回路１２２はＨ電位を出力し、ＮＯＴ回路１２４はＬ電位を出力する。この場合、ＮＯＴ回路１２６の正極電源電位がＬ電位となるので、ＮＯＴ回路１２６への入力がどのようなものであっても、ＮＯＴ回路１２６はＬ電位を出力し、グリル庫電磁弁６６には電圧が印加されず、グリル庫電磁弁６６は閉じられる。マイコン１００からウォッチドッグパルス信号ＷＤが正常に出力され、かつグリル庫電磁弁駆動信号ＧＤがＨ電位の場合には、ＮＡＮＤ回路１２２はＬ電位を出力し、ＮＯＴ回路１２４はＨ電位を出力する。この場合、ＮＯＴ回路１２６の正極電源電位がＨ電位となるので、ＮＯＴ回路１２６の出力はハード安全タイマ回路１１４のコンパレータ１１６の出力信号に応じて変化する。ガス燃焼機器２が正常に動作している場合は、ハード安全タイマ回路１１４のコンパレータ１１６の出力信号はＬ電位であり、ＮＯＴ回路１２６はＨ電位を出力する。これによって、グリル庫電磁弁６６に電圧が印加され、グリル庫電磁弁６６が開かれる。異常が発生している場合は、ハード安全タイマ回路１１４のコンパレータ１１６の出力信号はＨ電位であり、ＮＯＴ回路１２６はＬ電位を出力する。これによって、グリル庫電磁弁６６には電圧が印加されず、グリル庫電磁弁６６が閉じられる。
【００２７】
マイコン１００は、第１上部電動弁駆動信号ＵＤ１と、第２上部電動弁駆動信号ＵＤ２を出力する。第１上部電動弁駆動信号ＵＤ１と、第２上部電動弁駆動信号ＵＤ２は、モータドライバ回路１３４に入力される。モータドライバ回路１３４は、上部電動弁７２への印加電圧を制御することで、上部電動弁７２を開閉する。第１上部電動弁駆動信号ＵＤ１がＨ電位であり、第２上部電動弁駆動信号ＵＤ２がＬ電位である場合に、モータドライバ回路１３４は、上部電動弁７２を開く。それ以外の場合に、モータドライバ回路１３４は、上部電動弁７２を閉じる。
【００２８】
マイコン１００は、第１下部電動弁駆動信号ＬＤ１と、第２下部電動弁駆動信号ＬＤ２を出力する。第１下部電動弁駆動信号ＬＤ１と、第２下部電動弁駆動信号ＬＤ２は、モータドライバ回路１３６に入力される。モータドライバ回路１３６は、下部電動弁７４への印加電圧を制御することで、下部電動弁７４を開閉する。第１下部電動弁駆動信号ＬＤ１がＨ電位であり、第２下部電動弁駆動信号ＬＤ２がＬ電位である場合に、モータドライバ回路１３６は、下部電動弁７４を開く。それ以外の場合に、モータドライバ回路１３６は、下部電動弁７４を閉じる。
【００２９】
図３に示すように、上部炎検出器３４は、プラス端子が接地電位Ｖｏに接続された熱電対であって、マイナス端子から検出信号を出力する。上部炎検出器３４の検出信号は、反転増幅回路１３８およびコンパレータ１４０を介して、ＮＯＴ回路１４２に入力される。ＮＯＴ回路１４２の出力は、上部バーナ３０が消火している場合にＨ電位となり、上部バーナ３０が点火している場合にＬ電位となる。ＮＯＴ回路１４２の出力は、上部炎検出器３４についての失火検知信号ということができる。また、上部炎検出器３４の検出信号は、反転増幅回路１４４を介して、上部炎監視信号ＵＦとしてマイコン１００に入力される。
【００３０】
第１下部炎検出器４４は、プラス端子が接地電位Ｖｏに接続された熱電対であって、マイナス端子から検出信号を出力する。第１下部炎検出器４４の検出信号は、反転増幅回路１４６およびコンパレータ１４８を介して、ＮＯＴ回路１５０に入力される。ＮＯＴ回路１５０の出力は、第１下部バーナ３６が消火している場合にＨ電位となり、第１下部バーナ３６が点火している場合にＬ電位となる。ＮＯＴ回路１５０の出力は、第１下部炎検出器４４についての失火検知信号ということができる。また、第１下部炎検出器４４の検出信号は、反転増幅回路１５２を介して、第１下部炎監視信号ＬＦ１としてマイコン１００に入力される。
【００３１】
第２下部炎検出器４６は、プラス端子が接地電位Ｖｏに接続された熱電対であって、マイナス端子から検出信号を出力する。第２下部炎検出器４６の検出信号は、反転増幅回路１５４およびコンパレータ１５６を介して、ＮＯＴ回路１５８に入力される。ＮＯＴ回路１５８の出力は、第２下部バーナ３８が消火している場合にＨ電位となり、第２下部バーナ３８が点火している場合にＬ電位となる。ＮＯＴ回路１５８の出力は、第２下部炎検出器４６についての失火検知信号ということができる。また、第２下部炎検出器４６の検出信号は、反転増幅回路１６０を介して、第２下部炎監視信号ＬＦ２としてマイコン１００に入力される。
【００３２】
上部炎検出器３４に対応するＮＯＴ回路１４２の出力と、第１下部炎検出器４４に対応するＮＯＴ回路１５０の出力と、第２下部炎検出器４６に対応するＮＯＴ回路１５８の出力は、ＯＲ回路１６２に入力される。ＯＲ回路１６２は、グリル庫失火検知信号ＧＦを出力する。グリル庫失火検知信号ＧＦは、グリル庫１０内で失火が生じた場合にＨ電位となり、グリル庫１０内で失火が生じていない場合にＬ電位となる。
【００３３】
マイコン１００は、上部失火検知キャンセル信号ＵＦＣと、下部失火検知キャンセル信号ＬＦＣを出力する。マイコン１００は、例えば上部バーナ３０を意図的に消火させるときに、上部炎検出器３４による失火検知をキャンセルする場合、上部失火検知キャンセル信号ＵＦＣとしてＨ電位を出力する。また、マイコン１００は、例えば上部バーナ３０を燃焼させるときに、上部炎検出器３４による失火検知を行なう場合、上部失火検知キャンセル信号ＵＦＣとしてＬ電位を出力する。同様に、マイコン１００は、例えば第１下部バーナ３６および第２下部バーナ３８を意図的に消火させるときに、第１下部炎検出器４４および第２下部炎検出器４６による失火検知をキャンセルする場合、下部失火検知キャンセル信号ＬＦＣとしてＨ電位を出力する。また、マイコン１００は、例えば第１下部バーナ３６および第２下部バーナ３８を燃焼させるときに、第１下部炎検出器４４および第２下部炎検出器４６による失火検知を行なう場合、下部失火検知キャンセル信号ＬＦＣとしてＬ電位を出力する。
【００３４】
上部失火検知キャンセル信号ＵＦＣと、下部失火検知キャンセル信号ＬＦＣは、それぞれキャンセル制御回路１６４に入力される。キャンセル制御回路１６４において、上部失火検知キャンセル信号ＵＦＣは、抵抗器１６６を介して、ＮＯＴ回路１６８に入力される。ＮＯＴ回路１６８の出力は、上部炎検出器３４に対応するＮＯＴ回路１４２の出力に接続されている。このため、ＮＯＴ回路１６８にＬ電位が入力された場合、ＮＯＴ回路１６８の出力はＨ電位となり、ＮＯＴ回路１４２からＯＲ回路１６２には、上部炎検出器３４の検出信号に応じた電位が入力されることになる。すなわち、この場合には、上部炎検出器３４による失火検知が行われる。逆に、ＮＯＴ回路１６８にＨ電位が入力された場合、ＮＯＴ回路１６８の出力はＬ電位となり、ＮＯＴ回路１４２からＯＲ回路１６２には、上部炎検出器３４の検出信号に関わらず、Ｌ電位が入力されることになる。すなわち、この場合には、上部炎検出器３４による失火検知がキャンセルされる。
【００３５】
下部失火検知キャンセル信号ＬＦＣは、ＮＯＴ回路１７０、１７２のそれぞれに入力される。ＮＯＴ回路１７０の出力は、第１下部炎検出器４４に対応するＮＯＴ回路１５０の出力に接続されている。このため、ＮＯＴ回路１７０にＬ電位が入力された場合、ＮＯＴ回路１７０の出力はＨ電位となり、ＮＯＴ回路１５０からＯＲ回路１６２には、第１下部炎検出器４４の検出信号に応じた電位が入力されることになる。すなわち、この場合には、第１下部炎検出器４４による失火検知が行われる。逆に、ＮＯＴ回路１７０にＨ電位が入力された場合、ＮＯＴ回路１７０の出力はＬ電位となり、ＮＯＴ回路１５０からＯＲ回路１６２には、第１下部炎検出器４４の検出信号に関わらず、Ｌ電位が入力されることになる。すなわち、この場合には、第１下部炎検出器４４による失火検知がキャンセルされる。また、ＮＯＴ回路１７２の出力は、第２下部炎検出器４６に対応するＮＯＴ回路１５８の出力に接続されている。このため、ＮＯＴ回路１７２にＬ電位が入力された場合、ＮＯＴ回路１７２の出力はＨ電位となり、ＮＯＴ回路１５８からＯＲ回路１６２には、第２下部炎検出器４６の検出信号に応じた電位が入力されることになる。すなわち、この場合には、第２下部炎検出器４６による失火検知が行われる。逆に、ＮＯＴ回路１７２にＨ電位が入力された場合、ＮＯＴ回路１７２の出力はＬ電位となり、ＮＯＴ回路１５８からＯＲ回路１６２には、第２下部炎検出器４６の検出信号に関わらず、Ｌ電位が入力されることになる。すなわち、この場合には、第２下部炎検出器４６による失火検知がキャンセルされる。
【００３６】
さらに、キャンセル制御回路１６４においては、下部失火検知キャンセル信号ＬＦＣは、ＮＯＴ回路１７４に入力されている。ＮＯＴ回路１７４の出力は、上部失火検知キャンセル信号ＵＦＣに対応するＮＯＴ回路１６８の入力と抵抗器１６６の間に接続されている。これによって、下部失火検知キャンセル信号ＬＦＣがＨ電位である場合、上部失火検知キャンセル信号ＵＦＣがＨ電位であるかＬ電位であるかに関わらず、ＮＯＴ回路１６８にはＬ電位が入力されることになる。すなわち、第１下部炎検出器４４および第２下部炎検出器４６による失火検知をキャンセルする場合には、上部炎検出器３４による失火検知がキャンセルされないようになっている。
【００３７】
図２に示すように、グリル庫失火検知信号ＧＦは、グリル庫電磁弁６６に対応するＮＯＴ回路１２４の出力とともに、ＡＮＤ回路１７６に入力される。ＡＮＤ回路１７６の出力は、ＯＲ回路１７８に入力される。図示はしていないが、ＯＲ回路１７８には、第１コンロバーナ１２、第２コンロバーナ１８、第３コンロバーナ２４の失火検知信号も合わせて入力される。ＯＲ回路１７８の出力は、ＮＯＴ回路１８０を介して、ハード安全タイマ回路１１４のＮＯＴ回路１８２に入力される。また、ＮＯＴ回路１８２の入力には、パルス検出回路１０４の出力も接続されている。
【００３８】
ガス燃焼機器２が正常に動作している場合は、パルス検出回路１０４からはＨ電位が出力されており、ＮＯＴ回路１８０からもＨ電位が出力されているので、ハード安全タイマ回路１１４のＮＯＴ回路１８２にはＨ電位が入力される。マイコン１００からウォッチドッグパルス信号ＷＤが正常に出力されなくなると、パルス検出回路１０４からＬ電位が出力されて、ハード安全タイマ回路１１４のＮＯＴ回路１８２にはＬ電位が入力される。あるいは、グリル庫電磁弁６６に対応するＮＯＴ回路１２４の出力がＨ電位であり、かつグリル庫失火検知信号ＧＦがＨ電位となると（すなわち、グリル庫電磁弁６６が開いており、かつグリル庫１０内での失火が検出されると）、ＡＮＤ回路１７６がＨ電位を出力し、ＯＲ回路１７８がＨ電位を出力するので、ＮＯＴ回路１８０からＬ電位が出力されて、ハード安全タイマ回路１１４のＮＯＴ回路１８２にはＬ電位が入力される。
【００３９】
ハード安全タイマ回路１１４のＮＯＴ回路１８２の出力は、抵抗器１８４を介して電源電位Ｖｃｃに接続されているとともに、抵抗器１８６を介してコンパレータ１１６の非反転入力に接続されている。また、コンパレータ１１６の非反転入力は、キャパシタ１８８を介して接地電位Ｖｏに接続されている。コンパレータ１１６の反転入力は、抵抗器１９０を介して電源電位Ｖｃｃに接続されているとともに、抵抗器１９２を介して接地電位Ｖｏに接続されている。すなわち、コンパレータ１１６の反転入力には、抵抗器１９０と抵抗器１９２の分圧比に応じた基準電位が入力される。
【００４０】
ハード安全タイマ回路１１４の動作について説明する。ガス燃焼機器２が正常に動作している場合、すなわちＮＯＴ回路１８２の入力がＨ電位の場合には、ＮＯＴ回路１８２はＬ電位を出力する。この場合、コンパレータ１１６の非反転入力には反転入力の基準電位よりも低いＬ電位が入力されるので、コンパレータ１１６はＬ電位を出力する。この場合、上述したように、メイン電磁弁５０は、マイコン１００からのメイン電磁弁駆動信号ＭＤに応じて開閉し、グリル庫電磁弁６６は、マイコン１００からのグリル庫電磁弁駆動信号ＧＤに応じて開閉する。
【００４１】
その後、異常が発生して、ＮＯＴ回路１８２の入力がＨ電位からＬ電位に切り替わると、ＮＯＴ回路１８２はＨ電位を出力し、キャパシタ１８８への充電が開始される。キャパシタ１８８に電荷が蓄積し、コンパレータ１１６の非反転入力の電位が反転入力の基準電位を上回ると、コンパレータ１１６はＨ電位を出力する。この場合、上述したように、メイン電磁弁５０は、マイコン１００からのメイン電磁弁駆動信号ＭＤに関わらず閉じられ、グリル庫電磁弁６６は、マイコン１００からのグリル庫電磁弁駆動信号ＧＤに関わらず閉じられる。
【００４２】
以上のように、本実施例のガス燃焼機器２は、調理用のグリル庫１０（燃焼庫の一例）内に上部バーナ３０、第１下部バーナ３６および第２下部バーナ３８（複数のバーナの一例）を備えている。ガス燃焼機器２は、マイコン１００と、上部バーナ３０に対応して配置されており、上部バーナ３０が燃焼していない場合に失火検知信号を出力する上部炎検出器３４、反転増幅回路１３８、コンパレータ１４０およびＮＯＴ回路１４２（燃焼検知回路の一例）と、第１下部バーナ３６に対応して配置されており、第１下部バーナ３６が燃焼していない場合に失火検知信号を出力する第１下部炎検出器４４、反転増幅回路１４６、コンパレータ１４８およびＮＯＴ回路１５０（燃焼検知回路の一例）と、第２下部バーナ３８に対応して配置されており、第２下部バーナ３８が燃焼していない場合に失火検知信号を出力する第２下部炎検出器４６、反転増幅回路１５４、コンパレータ１５６およびＮＯＴ回路１５８（燃焼検知回路の一例）と、上部バーナ３０、第１下部バーナ３６および第２下部バーナ３８へのガスの供給がされており、かつ失火検知信号が入力されると、メイン電磁弁５０およびグリル庫電磁弁６６を閉じる信号（複数のバーナへのガスの供給を停止するガス供給停止信号の一例）を出力するハード安全タイマ回路１１４（安全回路の一例）と、ＮＯＴ回路１４２、ＮＯＴ回路１５０およびＮＯＴ回路１５８とハード安全タイマ回路１１４の間に接続されており、上部炎検出器３４に対応してマイコン１００から出力される上部失火検知キャンセル信号ＵＦＣ（失火検知キャンセル信号の一例）と、第１下部炎検出器４４および第２下部炎検出器４６に対応してマイコン１００から出力される下部失火検知キャンセル信号ＬＦＣ（失火検知キャンセル信号の一例）が入力されるキャンセル制御回路１６４を備えている。キャンセル制御回路１６４は、マイコン１００から入力される上部失火検知キャンセル信号ＵＦＣ、下部失火検知キャンセル信号ＬＦＣに応じて、対応する上部炎検出器３４、第１下部炎検出器４４および第２下部炎検出器４６についての失火検知信号をキャンセルする。キャンセル制御回路１６４は、上部炎検出器３４と第１下部炎検出器４４（あるいは上部炎検出器３４と第２下部炎検出器４６）に関して、同時に失火検知信号をキャンセルしないように構成されている。
【００４３】
なお、キャンセル制御回路１６４の具体的な構成は、上記の構成に限られるものではない。マイコン１００から、上部失火検知キャンセル信号ＵＦＣと下部失火検知キャンセル信号ＬＦＣが出力された場合に、上部炎検出器３４、第１下部炎検出器４４および第２下部炎検出器４６の失火検知信号の何れかをキャンセルしないように構成された回路であれば、どのような回路を用いてもよい。
【００４４】
上記の実施例において、ガス燃焼機器２は、グリル庫１０の代わりに、オーブンを備えていてもよい。
【００４５】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００４６】
本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００４７】
２      ：ガス燃焼機器
４      ：第１コンロ
６      ：第２コンロ
８      ：第３コンロ
１０    ：グリル庫
１２    ：第１コンロバーナ
１４    ：第１コンロ点火装置
１６    ：第１コンロ炎検出器
１８    ：第２コンロバーナ
２０    ：第２コンロ点火装置
２２    ：第２コンロ炎検出器
２４    ：第３コンロバーナ
２６    ：第３コンロ点火装置
２８    ：第３コンロ炎検出器
３０    ：上部バーナ
３２    ：上部点火装置
３４    ：上部炎検出器
３６    ：第１下部バーナ
３８    ：第２下部バーナ
４０    ：第１下部点火装置
４２    ：第２下部点火装置
４４    ：第１下部炎検出器
４６    ：第２下部炎検出器
４８    ：ガス供給路
５０    ：メイン電磁弁
５２    ：第１コンロガス供給路
５４    ：第２コンロガス供給路
５６    ：第３コンロガス供給路
５８    ：グリル庫ガス供給路
６０    ：第１コンロ電磁弁
６２    ：第２コンロ電磁弁
６４    ：第３コンロ電磁弁
６６    ：グリル庫電磁弁
６８    ：上部ガス供給路
７０    ：下部ガス供給路
７２    ：上部電動弁
７４    ：下部電動弁
７６    ：第１下部ガス供給路
７８    ：第２下部ガス供給路
１００  ：マイコン
１０２  ：パルス検出回路
１０４  ：パルス検出回路
１０６  ：ＮＡＮＤ回路
１０８  ：ＮＯＴ回路
１１０  ：ＮＯＴ回路
１１２  ：ダイオード
１１４  ：ハード安全タイマ回路
１１６  ：コンパレータ
１１８  ：抵抗器
１２０  ：逆並列ダイオード
１２２  ：ＮＡＮＤ回路
１２４  ：ＮＯＴ回路
１２６  ：ＮＯＴ回路
１２８  ：ダイオード
１３０  ：抵抗器
１３２  ：逆並列ダイオード
１３４  ：モータドライバ回路
１３６  ：モータドライバ回路
１３８  ：反転増幅回路
１４０  ：コンパレータ
１４２  ：ＮＯＴ回路
１４４  ：反転増幅回路
１４６  ：反転増幅回路
１４８  ：コンパレータ
１５０  ：ＮＯＴ回路
１５２  ：反転増幅回路
１５４  ：反転増幅回路
１５６  ：コンパレータ
１５８  ：ＮＯＴ回路
１６０  ：反転増幅回路
１６２  ：ＯＲ回路
１６４  ：キャンセル制御回路
１６６  ：抵抗器
１６８  ：ＮＯＴ回路
１７０  ：ＮＯＴ回路
１７２  ：ＮＯＴ回路
１７４  ：ＮＯＴ回路
１７６  ：ＡＮＤ回路
１７８  ：ＯＲ回路
１８０  ：ＮＯＴ回路
１８２  ：ＮＯＴ回路
１８４  ：抵抗器
１８６  ：抵抗器
１８８  ：キャパシタ
１９０  ：抵抗器
１９２  ：抵抗器
【図１】
0006607801.tif 000002
【図２】
0006607801.tif 000003
【図３】
0006607801.tif 000004